(57)【要約】【課題】インストルメントパネルを代表とした内装材料が保持し、内装内部への熱放出と室内に再放出する熱の除去を可能とし、炎天下に放置された際の内装内部温度の上昇を抑えるともに、車室内の温熱環境を改善することが可能な内装放熱構造を提供すること。【解決手段】自動車用内装材であるインストルメントパネルの内部構造において、インストルメントパネル裏面に放熱部を設置し、ダッシュパネルに受熱部を設置し、その周辺部に反射材を設置することで閉空間を構成し、前記放熱部からインストルメントパネル内部に対する放射を、周辺部に設けられた前記反射材の反射によって前記受熱部に導熱することとした。【選択図】    図１
2004189071.tif 000002
【特許請求の範囲】
【請求項１】
自動車用内装材であるインストルメントパネルの内部構造において、
インストルメントパネル裏面に放熱部を設置し、ダッシュパネルに受熱部を設置し、その周辺部に反射材を設置することで閉空間を構成し、
前記放熱部からインストルメントパネル内部に対する放射を、周辺部に設けられた前記反射材の反射によって前記受熱部に導熱することを特徴とする内装放熱構造。
【請求項２】
請求項１に記載の内装放熱構造において、
前記放熱部及び前記受熱部を含む閉空間構造を形成し、前記放熱部及び前記受熱部を除くすべての面の表面を、反射材により構成したことを特徴とする内装放熱構造。
【請求項３】
請求項１または２に記載の内装放熱構造において、
前記放熱部と前記受熱部をつなぐ面の表面を、少なくとも反射材によって構成したことを特徴とする内装放熱構造。
【請求項４】
請求項１に記載の内装放熱構造において、
前記放熱部と前記受熱部を閉空間であるダクト構造により接続し、該ダクト構造の内部表面を、反射材により構成したことを特徴とする内装放熱構造。
【請求項５】
請求項１ないし４いずれか１つに記載の内装放熱構造において、
前記インストルメントパネル裏面と前記ダッシュパネルの全部、もしくは一部を含んでなる閉空間を構成し、前記インストルメントパネル裏面及び前記ダッシュパネルの全部および一部を除く周辺部表面を、ＡＳＴＭ  Ｃ  １３７１−９８に基づく測定方法で求めた放射率が０．４以下の反射材により構成したことを特徴とする内装放熱構造。
【請求項６】
請求項１ないし５いずれか１つに記載の内装放熱構造において、
前記閉空間に含まれるインストルメントパネル裏面およびダッシュパネルの一部または全部を、ＡＳＴＭ  Ｃ  １３７１−９８に基づく測定方法で求めた放射率が０．７以上の放射および熱吸収部位として構成したことを特徴とする内装放熱構造。
【請求項７】
請求項１ないし６いずれか１つに記載の内装放熱構造において、
前記反射材を構成する材料の表面に赤外反射機能を有する薄板を保持したことを特徴とする内装放熱構造。
【請求項８】
請求項１ないし７いずれか１つに記載の内装放熱構造において、
前記赤外反射機能を有する薄板は、金属箔、金属を蒸着したフィルム、各々単独又はそれらの組合せからなる事を特徴とする内装放熱構造。
【請求項９】
請求項１ないし８いずれか１つに記載の内装放熱構造において、
前記ダッシュパネルの一部に設置される放熱部を、前記ダッシュパネルに対して高さ方向で全体の下部１／２以下の部位に設置したことを特徴とする内装放熱構造。
【請求項１０】
請求項１ないし９いずれか１つに記載の内装放熱構造において、
前記受熱部を、前記ダッシュパネル鋼板と接触または接続されていることを特徴とする内装放熱構造。
【発明の詳細な説明】
【０００１】
【発明の属する技術分野】
本発明は自動車の車室内の温度環境を改善することを目的としており、インストルメントパネルを代表とした内装材料が保持し、室内に再放出する熱の除去と、内装内部に蓄熱される熱の除去を目的としている。また同時に、炎天下における駐車車両内にこもる熱の除去も目的とした内装放熱構造に関する。
【０００２】
【従来の技術】
炎天下環境において駐車される自動車の室内は周知のごとく非常な高温になり、日本国内の夏期環境の測定例では室内空気温度としては約７０℃近くに達する。こうした状況の不快さは言うまでもなく、その改善が強く望まれている。また、空調装置による室内温熱環境の改善は従来から行われてきているが、熱交換によって室内空気の冷却が行われ、室温の低下を図る方式がなされている。また、炎天下駐車時には、内装表面が熱せられることで内装内部も高温となり、内装特にインストルメントパネル内部に設置される電子部品などは高温にさらされるため、耐熱性に優れたもののみ使用するなど、部品コスト上昇を引き起こす要因ともなっている。
【０００３】
従来このような炎天下駐車の問題点に関し、内装内部の高温対策としては、電子部品などにウレタンフォーム、レジンフェルトなどの断熱材を巻きつけるなどの対策は行われてきているが、断熱材は温度上昇の遅延効果のみで根本的な対策となっておらず、問題解決には至っていない。また、車室内温度を下げることで、結果的に内装表面、内装内部を冷却するなども提案されている。例えば、特許文献１に記載の技術のように太陽電池などを用いて換気を行う方法などもある。
【０００４】
【特許文献１】
特開平９−２９５５０９号公報。
【０００５】
【発明が解決しようとする課題】
以上のように、断熱材を用いることで、部品の温度上昇を抑える方法や、特許文献１に記載の、駐車時に太陽電池等を用いて電力を使用し、強制的に掃気する方法が提案されている。しかしこれらの提案は、温度上昇の遅延効果のみで根本的な解決に至ってないことや、新たな大掛かりな装置を車両に搭載する必要から、装置の装着方法や車両スタイルの視点から現実味が乏しく、また重量増やコスト増の面でも実用に繋がりにくいものとなっている。また、室内温度の上昇の面から考えると、空気を換気すること、及び空気の熱交換効率向上による室温低下は効率が悪く限界がある。
【０００６】
我々は、こうした現状を踏まえ改めて炎天下駐車時の熱の出入りを解析した。その中で、車室内に送る空気の冷却は室温低下に効果はあるものの、インストルメントパネルを代表とする内装部品が太陽光を吸収し、室内及び内装内部への熱源となっている以上、それを車外へ放出しない限り、車室内温度上昇及び内装内部の温度上昇を抑えることが困難であることがわかった。但し、主たる要因が停車時であるため、電力などの動力を利用することは長時間駐車においては困難であること、太陽電池等の設置による専用電源を持つことは、重量増やコスト増の面でも実用に繋がりにくいものであり、できる限り動力なしで本課題を解決することが必要である。
【０００７】
そこで本発明では、インストルメントパネルを代表とした内装材料が保持し、内装内部への熱放出と室内に再放出する熱の除去を可能とし、炎天下に放置された際の内装内部温度の上昇を抑えるともに、車室内の温熱環境を改善することが可能な内装放熱構造を提供することを目的に成されたものである。
【０００８】
【課題を解決するための手段】
前記目的を達成するために、本発明は、自動車用内装材であるインストルメントパネルの内部構造において、インストルメントパネル裏面に放熱部を設置し、ダッシュパネルに受熱部を設置し、その周辺部に反射材を設置することで閉空間を構成し、前記放熱部からインストルメントパネル内部に対する放射を、周辺部に設けられた前記反射材の反射によって前記受熱部に導熱することことで上記課題を解決するに至った。
【０００９】
【発明の効果】
本発明により、下記の効果を得ることができる。
（１）インストルメントパネル裏面から放出される、熱放射を、インストルメントパネル内部の部品が吸収することなく、車外へ導熱することでインストルメントパネル内部部品の温度上昇を抑えることが可能である。
（２）同時に、インストルメントパネル等に吸収される熱エネルギーを最短距離で車室外に放出することが可能であり、車室内への熱放射を防止できる。
【００１０】
【発明の実施の形態】
以下、本発明の内装放熱構造について詳細に説明する。
【００１１】
（実施の形態１）
図１は、本発明における実施の形態１を表す自動車用内装材インストルメントパネルの横断面図である。１は放熱部、２は受熱部、３は反射材、４は部品、５はダッシュパネル、６はインストルメントパネルである。
【００１２】
内装放熱構造は図１に示すように、自動車用内装材であるインストルメントパネル６の内部構造において、インストルメントパネル６の裏面に放熱部１を設置し、ダッシュパネル５に受熱部２が設置され、その周辺部を反射材３で囲うことで閉空間を構成している。
【００１３】
一般的に、内装内部の温度上昇は、内装表面が熱せられた上で、その裏面から内部へ熱放射が生じ、内装内部の部品がその放射成分を吸収することで温度上昇が生じる。また、車室内温度の上昇は、室内の空気に対して数々の部位から熱が放出されることによって起きるものであり、インストルメントパネル６はその代表的な部位である。従って、内装内部、及び車室内の暖まった空気を排出することだけでは根本的な解決にはならず、熱源となっている内装材に蓄積された熱を車室外に放出する手段が必要である。
【００１４】
そこで、最も熱せられるインストルメントパネル６上部裏面に放熱部１を設置し、比較的温度が低く車室外に接しているダッシュパネル５を受熱部２にし、それぞれを黒体として設け、その周辺部を反射材３で構成された閉空間とした。これにより、インストルメントパネル６裏面からインストルメントパネル６内部に対する放射を周辺部の反射材３による反射によってダッシュパネル５に設置された受熱部２に導熱することにある。
【００１５】
通常インストルメントパネル６内部は放射熱を吸収しやすい黒色の材料から構成されており、放射による熱上昇を招きやすい。それらを反射材３で隔離することで熱吸収を防ぐとともに、放熱部１から放射により排出される熱線を周辺部の反射材３が多重反射することで受熱部２へと導熱し、ダッシュパネル５に設けられた受熱部２を介して車外へ放出されることとなる。
【００１６】
従来は、内装内部へ熱が移動し、内装内部温度が上昇することで、内装材自体としては最終的には蓄熱することとなり、内装表面から車室内へ熱を再放出することとなっていたが、第１実施例では、積極的に内装が持つ熱エネルギーを車外に放出するため、車室内への熱放出も低減することが可能となる（請求項１，２に対応）。
【００１７】
実施の形態１では、インストルメントパネル６裏面とダッシュパネル５の全部もしくは一部を含んで構成された閉空間を、インストルメントパネル６裏面およびダッシュパネル５の全部および一部を除く、周辺部表面がＡＳＴＭ  Ｃ  １３７１−９８に基づく測定方法で求めた放射率が０．４以下の反射材、好ましくは０．２以下の反射材であることが好ましい。すなわち、放熱部１・受熱部２を除くその周辺部は、放熱部１から放射された熱線を反射することで受熱部２導熱すること機能として持つ。反射率が著しく低い場合は、その効果が発揮されず、従来の内装内部と何ら変わらない状態となるからである（請求項５に対応）。
【００１８】
また、前記閉空間に含まれるインストルメントパネル６裏面およびダッシュパネル５の一部または全部がＡＳＴＭ  Ｃ  １３７１−９８に基づく測定方法で求めた放射率が０．７以上の放射および熱吸収部位として構成されることが好ましい（請求項６に対応）。すなわち、放熱部１は、その表面からの熱エネルギーを効率的に下部へ伝えること、受熱部２は直接若しくは、反射を介して間接的に熱が伝えられそれを吸収、車外へ放出することが必要である。そのため、その部位が放射率が０．７以上の放射および熱吸収部位として構成されることが好ましく、特に好適なのは放射率が０．８５以上である。放射率が０．７以下である場合、インストルメントパネル６表面から内部への熱放射が小さくなり、インストルメントパネル６表面から車外への放熱が大きくなるため車室内温度の上昇を招くこととなるからである。
【００１９】
また、反射材３が周辺部を構成する材料の表面に赤外反射機能を有する薄板を保持することが好ましい。反射材３単体では形状を保持することが困難であること、また、インストルメントパネル６内部に存在する各部品を利用すること、閉空間を構成する際にポリプロピレン樹脂などの樹脂材料によって平板で覆う、ダクトを作製するなどするため、それらに反射機能を保持させるためには、材料の表面に赤外反射機能を有する薄板を保持することが好ましい（請求項７に対応）。
【００２０】
また、赤外反射機能を有する薄板としては金属箔、金属を蒸着したフィルム、各々単独又はそれらの組合せからなる事が好ましい。これは、反射層の理想としては赤外反射率７０％以上であることが望ましく、材料の入手性、ハンドリングのし易さから見て、赤外線反射機能を有する層が金属蒸着された熱線反射フィルムであることが特に望ましい（請求項８に対応）。
【００２１】
また、赤外線反射機能を有する層としては、アルミニウム箔、銅箔、アルミニウム酸化物、銅酸化物を樹脂フィルム表面にスパッタリングすることによって得られる金属蒸着フィルム、透明な樹脂層を付着させたアルミニウム箔、透明な樹脂層を付着させた銅箔、アルミニウムを付着させた樹脂フィルム、反射塗料を塗布した樹脂フィルム、反射材及び又は白色顔料を混ぜ込んだ樹脂フィルム、アルミニウム酸化物、銅酸化物をポリエステル若しくはポリエステル繊維で構成された不織布にスパッタリングすることによって得られる金属蒸着フィルムを用いることができるが特に限定はしない。
【００２２】
反射層にアルミニウム箔、銅箔、透明な樹脂層を付着させたアルミニウム箔、透明な樹脂層を付着させた銅箔を用いる場合、その厚みは１μｍから１０００μｍ、特に５μｍから５０μｍが好適であるがここでは特に限定しない。
【００２３】
反射材料にアルミニウム蒸着樹脂フィルム、反射塗料を塗布した樹脂フィルム、反射材及び又は白色顔料を混ぜ込んだ樹脂フィルムのいずれかを用いる場合、アルミニウム、反射塗料の無い面からの熱線が樹脂フィルムに吸収されにくいように、樹脂は可視から赤外領域において平均透過率が７０％以上であれば良い。また、その種類は特に限定されないが、耐熱性・柔軟性などを考慮してポリエステルやポリエチレンなどが好適である。樹脂フィルムの厚みは５μｍから１００μｍとするのが取り扱いに好適である。アルミニウムを付着させる厚みは、５ｎｍから１００μｍの範囲にあることが望ましい。
【００２４】
反射塗料としてはアルミニウム鱗片を主成分として含むものを使用できる。その塗布厚みは、樹脂に付着させたアルミニウムと同様に、その厚みは１０ｎｍから１００μｍとするのが好適である。樹脂に混ぜ込む反射材及び白色顔料としては前記のアルミニウム鱗片やチタニア微粒子やチタニアを表面に付着させたマイカ粉末などである。含有量としては０．００１から０．２重量％である。０．００１重量％以下では透過率が高く、０．２重量％以上混ぜ込んでも熱線反射効果が飽和状態になるからである。
【００２５】
以上説明したように、本実施の形態１に記載の構成を用いることで、下記の作用効果を得ることができる。
▲１▼インストルメントパネル６裏面から放出される熱放射を、インストルメントパネル６内部の部品が吸収することなく車外へ導熱することで、インストルメントパネル６内部部品の温度上昇を抑えることが可能である。
▲２▼同時に、インストルメントパネル６等に吸収される熱エネルギーを最短距離で車室外に放出することが可能であり、車室内への熱放射を防止できる。
【００２６】
よって、インストルメントパネル６を代表とした内装材料が保持し、内装内部への熱放出と室内に再放出する熱の除去を可能とし、炎天下に放置された際の内装内部温度の上昇を抑えるともに、車室内の温熱環境を改善することが可能となる。
【００２７】
（実施の形態２）
図２は実施の形態２を表す自動車用内装材インストルメントパネルの横断面図である。基本的な構成は第１実施例と同様であるが、ダッシュパネル５の一部に設置される受熱部２がダッシュパネル５全体の下部１／２以下の部位に設置されるている点が異なる。
【００２８】
インストルメントパネル６裏面及びダッシュパネル５全面が黒体で構成され、それぞれが放熱部１及び受熱部２となり、それら以外の周辺部はすべて反射材３で覆われているものである。また、反射面及び放熱・受熱部を最大限に確保しようとする場合、これらを構成する閉空間内に空調ダクトが設置される場合もあるが、その際はダクトの外表面を反射材３で覆うことにより同等の機能を有することが可能である。これにより、実施の形態１に記載の作用効果が、更に効果的に得られる（請求項２に対応）。
【００２９】
また、ダッシュパネル５全体の下部１／２以下の部位に受熱部２を設置したことで、より温度差の大きい事を利用することで更に高い効果が得られる（請求項９に対応）。また、ダッシュパネル５に設置された受熱部２がダッシュパネル鋼板と接触または接続されている。これにより、受熱部から車外への熱放出効果を高めることが可能であるがここでは特にその形態、量等などは限定しない（請求項１０に対応）。
【００３０】
（実施の形態３）
図３は実施の形態３を表す自動車用内装材インストルメントパネルの横断面図である。インストルメントパネル６裏面に設置される放熱部１とダッシュパネル５に設置される受熱部２をつなぐ閉空間がダクト構造７を持ち、かつその内部表面が反射材３から構成されている。
【００３１】
インストルメントパネル６内部構造は非常に複雑であること、及びダッシュパネル５においても上部に比較して下部は非常に温度が低く、また前述のように温度差をできる限り大きくとるために、ダッシュパネルの下部で受熱し、車外へ放熱することが望ましい。従って、図３に示すように、放熱部１と受熱部２をつなぐ閉空間ダクト構造７を持ち、かつ、その内部表面が反射材３から構成されることで、導熱経路を作り出し車外へ放出する構成となる。なお、本ダクト構成においては、インストルメントパネル６内にいくつもの経路も作製することでより効率的に放熱することが可能であるがここでは、その数量、設置位置など何れも限定はしない。
【００３２】
図７及び図８は上記ダクト構造７の設置例である。インストルメントパネル６内に複数の経路を作成することで効率的に放熱することが可能であるが、その数量、設置位置について特に限定しない。
【００３３】
（実施の形態４）
図４は実施の形態４を表す自動車用内装材インストルメントパネルの横断面図である。インストルメントパネル６裏面及びダッシュパネル５に設置された放熱部１・受熱部２を結ぶ形で樹脂板１０を設置し、その表面を反射材３で覆う構成としている。すなわち、放熱部１から受熱部２へ熱放射がより効率的に伝わるためには、その温度差がより大きい方が効果的である。従って、放熱部１と受熱部２をつなぐ表面が反射材によって構成されることで、その部分では熱吸収が生じないため、より大きな温度差を得られ、本発明による効果がより発揮されることとなる（請求項３に対応）。一般的に、放熱部１と受熱部２は面対することが好ましく、特にその面同士の形態係数が０．１以上であることが特に好ましい。一般的に熱放射現象は、互いに面対する平面同士での効果が最も大きく、本発明においても反射を用いているが、より大きな効果を得るためには上記形態係数の範囲であることが好ましいが、特にここでは限定はしない。
【００３４】
このように反射面を設置する部位としてはインストルメントパネル６裏面、ダッシュパネル５面の何れにおいても効果があり、その設置部位としては特に限定はしない。
【００３５】
（実施の形態５）
図５は実施の形態５を表す自動車用内装材インストルメントパネルの横断面図である。図５において、基本的な構成は実施の形態４と同様であるが、インストルメントパネル６裏面及びダッシュパネル５に設置された放熱部１・受熱部２を結ぶ形で樹脂板１０を設置し、その表面を反射材３で覆い、更に、インストルメントパネル６裏面に正対する形で樹脂パネルなどで反射面３を作製し、導熱を促す構造となっている。このように反射面は、任意に作製することも可能であり、また、従来のインストルメントパネル６内部に設置された部品４表面を利用することも可能であるが、その設置方法については特に限定しない。ここで、従来のインストルメントパネル構造を図６に示すが、一般的にはインストルメントパネル下部が車室内空間と連通した構造となっており、またインストルメントパネル内に設置された部品４にインストルメントパネル裏面から放射によって伝熱（矢印８に相当）がなされることでインストルメントパネル内温度の上昇が起こり、各実施の形態との違いを見ることができる。
【００３６】
（第１実施例）
本発明による組み合わせの一例として、放熱部１をインストルメントパネル６全体とし、受熱部２をダッシュパネル下部１／２に設置し、受熱部２部分に原着により黒色に着色されたゴム表皮（厚み２ｍｍ）をダッシュパネル鋼板に直接覆う形で設置した。なお、この際の放熱部１及び受熱部２表面の放射率は０．８である。インストルメントパネル６内部においては、インストルメントパネル６下部にポリプロピレン樹脂パネルを設置し、内部を閉空間構成として放熱部１及び受熱部２以外の部分に表面を金属蒸着したポリエステルフィルム（厚み２５μｍ、放射率０．２）の反射材３で覆った。その際、閉空間内部に存在する空調用ダクトの表面についても前記反射材によって覆う構成とした。
【００３７】
本構成のもとで外気温３５℃、快晴の炎天下に車両を放置したところ、従来車両においてはインストルメントパネル表面温度が約９０℃に上昇したにもかかわらず、本発明の組み合わせ例においてはインストルメントパネル表面温度が７０℃まで低下し、インストルメントパネル内部温度も従来車両では７０℃であったものが本発明の組み合わせ例では５５℃という結果が得られた。
【００３８】
（第２実施例）
次に、第２実施例について説明する。第２実施例の構成は、基本的に第１実施例の構成と同様であるが、反射材３の放射率が０．５のもののみに変更し、実験を行った。結果として、インストルメントパネル６表面は若干温度が下がるものの、インストルメントパネル内部温度が６５℃という結果になり、所望の性能が得られないことがわかった。
【００３９】
（第３実施例）
次に、第３実施例について説明する。第３実施例の構成は、基本的に第１実施例の構成と同様であるが、放熱部１及び受熱部２の放射率を原着顔料を変更することで０．５のものに変更して実験を行った。結果として、インストルメントパネル６表面温度が９０℃以上となってしまい、所望の結果が得られないことが判明した。
【図面の簡単な説明】
【図１】実施の形態１における自動車用内装材インストルメントパネルの横断面図である。
【図２】実施の形態２における自動車用内装材インストルメントパネルの横断面図である。
【図３】実施の形態３における自動車用内装材インストルメントパネルの横断面図である。
【図４】実施の形態４における自動車用内装材インストルメントパネルの横断面図である。
【図５】実施の形態５における自動車用内装材インストルメントパネルの横断面図である。
【図６】従来技術における自動車用内装材インストルメントパネルの横断面図である。
【図７】実施の形態３におけるダクト構成設置例を表す図である。
【図８】実施の形態３におけるダクト構成設置例を表す図である。
【符号の説明】
１    放射部
２    受熱部
３    反射部材
４    内部部品
５    ダッシュパネル
６    インストルメントパネル
７    ダクト構造
１０    樹脂板
【図１】
2004189071.tif 000003
【図２】
2004189071.tif 000004
【図３】
2004189071.tif 000005
【図４】
2004189071.tif 000006
【図５】
2004189071.tif 000007
【図６】
2004189071.tif 000008
【図７】
2004189071.tif 000009
【図８】
2004189071.tif 000010